(57)【要約】      （修正有）【課題】入浴時等に乳児を安定に保持して簡単に乳児の身体を洗うことのでき、未使用時には場所をとらずに保管できる乳児洗浄用ベッドを提供する。【解決手段】乳児を寝かせた状態で洗浄するための乳児洗浄用ベッドであって、折りたたみ可能な脚部３の上部にメッシュシート１，２の両側部が取り付けられ、脚部３を展開した状態で前記シート１，２が乳児を寝かせるのに十分な広さに広げられるようにした乳児洗浄用ベッドである。【選択図】図１
0003111882.tif 000002
【実用新案登録請求の範囲】
【請求項１】
乳児を寝かせた状態で洗浄するための乳児洗浄用ベッドであって、折りたたみ可能な脚部の上部に透水性シートの両側部が取り付けられ、脚部を展開した状態で前記シートが乳児を寝かせるのに十分な広さに広げられるようにしたことを特徴とする乳児洗浄用ベッド。
【請求項２】
前記透水性シートがメッシュシートである請求項１に記載の乳児洗浄用ベッド。
【請求項３】
前記シートが、乳児の頭支持用シートとベッド本体用シートとからなる請求項１または２に記載の乳児洗浄用ベッド。
【請求項４】
前記頭支持用シートとベッド本体用シートとを広げた状態で、前記頭支持用シートの最底部がベッド本体用シートの最底部より下に位置するように段差を設けてある請求項３に記載の乳児洗浄用ベッド。
【請求項５】
広げた状態のシート上に乳児を固定するためのベルトを有する請求項１〜４のいずれかに記載の乳児洗浄用ベッド。
【請求項６】
脚部の上部に乳児の転落防止用の防護手段が立設されている請求項１〜４のいずれかに記載の乳児洗浄用ベッド。
【請求項７】
乳児を寝かせた状態で洗浄するための乳児洗浄用ベッドであって、脚部の上部に、前記頭支持用シートとベッド本体用シート頭支持用シートとが張りわたされていることを特徴とする乳児洗浄用ベッド。
【考案の詳細な説明】
【技術分野】
【０００１】
本考案は、乳児の入浴において浴室の洗い場等で乳児の身体を洗う際に、乳児の体を支えるために用いる乳児洗浄用ベッドに関する。
【背景技術】
【０００２】
浴室などで乳児の身体を洗うには、乳児の身体をひざの上に乗せ、片手で首を支えながら、もう片方の手で洗っているのが一般的である。しかし、このような洗浄法では、乳児の身体がすべり落ちる危険性があるので、身体をしっかりと支えておく必要がある。このため、乳児を入浴させるのは大変な労力を必要とし、育児経験の少ない夫婦にとって乳児を入浴させるのは容易ではない。
【０００３】
そこで、近時、乳児を寝かせたまま身体を洗うことのできる入浴マットが提案されている（特許文献１）。これは枕部をベッド部より高くした厚みのある発泡樹脂等で作られたマットであり、これをベビーバスや浴室の床などに載置して乳児を寝かせ両手を使って洗えるようにしている。
【特許文献１】実開平７−２２７３６号公報
【考案の開示】
【考案が解決しようとする課題】
【０００４】
しかしながら、上記のような入浴マットは丸めて保管することはできるが、それでもなお場所をとり、また水気が残りカビがつきやすいので、衛生面で心配が残るという問題がある。
【０００５】
従って、本考案の主たる課題は、乳児を安定に保持して簡単に乳児の身体を洗うことのできる乳児洗浄用ベッドを提供することである。
本考案の他の課題は、未使用時に場所をとらずに保管できる乳児洗浄用ベッドを提供することである。
【課題を解決するための手段】
【０００６】
上記課題を解決するための、本考案に係る乳児洗浄用ベッドは、以下の構成からなる。
（1）乳児を寝かせた状態で洗浄するための乳児洗浄用ベッドであって、折りたたみ可能な脚部の上部に透水性シートの両側部が取り付けられ、脚部を展開した状態で前記シートが乳児を寝かせるのに十分な広さに広げられるようにしたことを特徴とする乳児洗浄用ベッド。
（2）前記透水性シートがメッシュシートである上記（1）に記載の乳児洗浄用ベッド。
（3）前記シートが、乳児の頭支持用シートとベッド本体用シートとからなる上記（1）または（2）に記載の乳児洗浄用ベッド。
（4）前記頭支持用シートとベッド本体用シートとを広げた状態で、前記頭支持用シートの最底部がベッド本体用シートの最底部より下に位置するように段差を設けてある上記（3）に記載の乳児洗浄用ベッド。
（5）広げた状態のシート上に乳児を固定するためのベルトを有する上記（1）〜（4）のいずれかに記載の乳児洗浄用ベッド。
（6）脚部の上部に乳児の転落防止用の防護手段が立設されている上記（1）〜（4）のいずれかに記載の乳児洗浄用ベッド。
【０００７】
本考案の他の乳児洗浄用ベッドは、乳児を寝かせた状態で洗浄するための乳児ものであって、脚部の上部に、前記頭支持用シートとベッド本体用シートとが張りわたされていることを特徴とする。
【考案の効果】
【０００８】
上記（1）に記載の乳児洗浄用ベッドによれば、使用時に折りたたみ可能な脚部を展開し、これを浴室の床等の上に載置して、透水性シートを広げることにより、この透水性シートの上で乳児を寝かせたまま両手を使って乳児の身体を簡単に洗うことができ、従って、手が滑って乳児を落としてしまう危険性を低減することができる。また、透水性シートであるので、洗浄時には石鹸液等をシート上から簡単に排出でき、洗浄が容易である。さらに、使用後は、汚水等がシート上に残留しないので、容易に乾燥しかつ衛生的である。しかも、脚部は折りたたみ可能であるので、保管に場所をとらず、持ち運びに便利である。
上記（2）によれば、前記透水性シートがメッシュシートであることにより、石鹸液等の排出や、使用後の乾燥が一層容易になる。
上記（3）によれば、乳児の頭支持用シートとベッド本体用シートとの間に手を入れて、乳児の身体、特に不安定な乳児の首から頭部を支えて洗うこともできる。
上記（4）によれば、前記頭支持用シートの最底部がベッド本体用シートの最底部より下に位置するので、乳児の頭部が安定し、洗浄が容易になる。
上記（5）、（6）によれば、シート上の乳児が誤って転落する危険性がなくなり、安全性が向上する。
本考案の乳児洗浄用ベッドは、折りたたみ可能な脚部を備えたものに限定されず、例えば、固定された脚部の上部に、前記頭支持用シートとベッド本体用シートとが張りわたされたものであってもよい。このような乳児洗浄用ベッドであっても、両シートが透水性を有しているので、乳児の身体を簡単に洗うことができ、安全であると共に、石鹸液等をシート上から簡単に排出でき、洗浄が容易であり、洗浄後も汚水が溜まらないので、衛生的であるという効果がある。
【考案を実施するための最良の形態】
【０００９】
以下、図面に基づき本考案の望ましい実施形態を詳細に説明する。図１は、本考案の一実施形態に係る乳児洗浄用ベッドの展開状態を示す斜視図、図２は乳児を載置した状態での図１の乳児洗浄用ベッドの正面図である。
【００１０】
図１に示されるように、この実施形態に係る乳児洗浄用ベッドは、２枚のメッシュシート１，２と、それらを取り付ける折りたたみ可能な脚部３とから構成されている。
【００１１】
脚部３は、１対の矩形フレーム3a, 3bをそれらの中央部で連結軸５にて回動自在に連結したものであり、連結軸５を中心にフレーム3a, 3bを回動させて折り畳むことができる。また、脚部を展開した状態で留め金７を留め金受け８に係止させて、確実に脚部３を固定できるようになっている。
【００１２】
脚部３のフレーム3a, 3bは、軽量で、乳児の身体を支持するのに十分な強度をもつものであればよく、例えば金属、木、プラスチックなどからなるパイプ状または棒状物である。また、金属の場合は防錆剤を、木製またはプラスチック製の場合は防カビ剤をそれぞれ塗付するのが望ましい。
【００１３】
メッシュシート１、２はフレーム3a, 3bの上部に巻きつけるなどして取り付けられる。メッシュシート１、２の素材としては、乳児の体重を支持できる強度を有する限り特に限定されないが、肌触りがよく、水はけ・水切り性に富むものであるのが好ましい。
【００１４】
メッシュシート１、２のうち一方のメッシュシート１は、乳児の頭支持用シートであって、該シート１の大きさは、寝かせた乳児の頭部を載せるのに充分な広さを有する。また、他方のメッシュシート２はベッド本体用シートであって、寝かせた乳児の頭部より下の身体を支持する広さを有するのが望ましい。また、図２に示されるように、前記２枚のシート１、２のたるみ度合いに違いをもたせること等により、頭支持用メッシュシート１の最底部がベッド本体用メッシュシート２の最底部より下になるように段差を設けてある。このような段差を設けることにより、乳児４を安定にかつ楽な姿勢で寝かし、乳児の洗浄が容易になる。
【００１５】
また、乳児４が誤ってメッシュシート１，２から転落するのを防止するために、脚部３の上部に安全ベルト９が設けられる。安全ベルト９は脚部３の上部に直接取り付けられていてもよく、メッシュシート２に取り付けられていてもよい。
【００１６】
図３は本考案に係る乳児洗浄用ベッドの他の実施形態を示す斜視図である。なお、図１，２に示した構成部材と同じ部材には同一符号を付して、説明を省略する。
【００１７】
図３に示されるように、この実施形態に係る乳児洗浄用ベッドは、脚部３、４上部の左右に防護柵１１、１２を設け、乳児４が誤ってメッシュシート１，２から転落するのを防止している。前記防護ネット１１、１２は、ネット11a，12aと、このネット11a，12aを取り付けたコ字形フレーム11ｂ，12ｂとからなり、コ字形フレーム11ｂ，12ｂは、両端が脚部３のフレーム3a, 3bの上部または両側部にネジ止め、溶接などで取り付けられている。なお、ネット11a，12aに代えて、柵を構成する複数の格子材であってもよく、フィルムや布などをコ字形フレーム11ｂ，12ｂに取り付けても良い。
【００１８】
また、一方のコ字形フレーム12ｂには、シャワーヘッドを着脱自在に保持する保持具１０が設けられているので、乳児４の洗浄に便利である。なお、コ字形フレーム12ｂがない場合には、脚部３に保持具１０を直接取り付けることができる。
【００１９】
図４は本考案に係る乳児洗浄用ベッドのさらに他の実施形態を示す斜視図である。なお、図１，２に示した構成部材と同じ部材には同一符号を付して、説明を省略する。
【００２０】
図４に示すように、この実施形態に係る乳児洗浄用ベッドは、固定型の脚部１３の上部に設けた平行な２本の水平バー13a、13b間に２枚のメッシュシート１，２、すなわち前記頭支持用シートとベッド本体用シートとを張りわたしたものである。この場合、前記と同様に、頭支持用シートの最底部がベッド本体用シートの最底部より下に位置するように段差を設けるのが好ましい。
【００２１】
なお、以上の実施形態では、頭支持用シートの最底部がベッド本体用シートの最底部より下に位置するようにしたが、両最底部が同一高さであってもよく、あるいは上記と逆にベッド本体用シートの最底部が頭支持用シートの最底部より下にあってもよい。また、メッシュシートを上記のように２枚に分割せずに、１枚のメッシュシートのみであってもよい。
【００２２】
また、メッシュシートに代えて、例えば目の粗い織布や不織布、穴あきのプラスチックシートなどの透水性シートを使用してもよい。
【図面の簡単な説明】
【００２３】
【図１】本考案の一実施形態に係る乳児洗浄用ベッドの展開状態を示す斜視図である。
【図２】乳児を載置した状態での図１の乳児洗浄用ベッドの正面図である。
【図３】本考案の他の実施形態を示す斜視図斜視図である。
【図４】本考案のさらに他の実施形態を示す斜視図である。
【符号の説明】
【００２４】
１：頭支持用シート、２：ベッド本体用シート、３：脚部、４： 乳児、５：連結軸、７：留め金、８：留め金受け、９：ベルト、１０：シャワーヘッド保持具、１１、１２：防護柵、１３：固定型の脚部
【図１】
0003111882.tif 000003
【図２】
0003111882.tif 000004
【図３】
0003111882.tif 000005
【図４】
0003111882.tif 000006